(57)【要約】【課題】  印刷・製版業の色校正工程で用いられるデジタル網点プルーフにおいて実際の印刷物により近い再現性を得ることのできるデジタル画像出力システム及びプログラムを提供する。【解決手段】  このデジタル画像出力システムは、画像データを入力し、その入力した画像データの各版に対し階調変換テーブルを設定し、その設定した階調テーブルに従い前記画像データを階調変換し、その階調変換した画像データを用いて１つの版を複数の色成分の組み合わせとして画像形成する際に、入力画像データの色版の少なくとも１つの版に対し画像形成する色成分に応じた複数の階調変換テーブル２２ａ〜２２ｃを設定し、階調変換テーブルが複数設定されていた場合に、複数の階調変換テーブルを用いて階調変換を行うことで複数の変換画像データを得て、１つの色版に対し複数の階調変換テーブルを用いて変換した複数の変換画像データがある場合には、その色版の画像を形成する際に、各色成分に応じた変換画像データを用いて画像を形成する。【選択図】  図３
2005094456.tif 000002
【特許請求の範囲】
【請求項１】
画像データを入力し、その入力した画像データの各版に対し階調変換テーブルを設定し、その設定した階調テーブルに従い前記画像データを階調変換し、その階調変換した画像データを用いて１つの版を複数の色成分の組み合わせとして画像形成するデジタル画像出力システムであって、
前記入力画像データの色版の少なくとも１つの版に対し画像形成する色成分に応じた複数の階調変換テーブルを設定する設定手段と、
前記階調変換テーブルが複数設定されていた場合に、前記複数の階調変換テーブルを用いて階調変換を行うことで複数の変換画像データを得る階調変換手段と、を備え、
１つの色版に対し前記複数の階調変換テーブルを用いて変換した複数の変換画像データがある場合には、その色版の画像を形成する際に、各色成分に応じた変換画像データを用いて画像を形成することを特徴とするデジタル画像出力システム。
【請求項２】
前記各色版に対し網点データを設定する網点設定手段と、
前記入力画像データの各版に対し、前記設定した網点データに基づいて濃度階調データを面積階調データに変換する網点化手段と、を備え、
画像を形成する全ての色版に対して網点化処理を行うとともに、網点化する１つの版が前記複数の階調変換テーブルを用いて変換した複数の画像変換データを有する場合には、前記複数の画像変換データに対して同一の網点データを用いて網点化することを特徴とする請求項１に記載のデジタル画像出力システム。
【請求項３】
前記少なくとも１つの版にＫ版を含むことを特徴とする請求項１または２に記載のデジタル画像出力システム。
【請求項４】
前記１つの版を形成する複数の色成分とは、ＲＧＢであることを特徴とする請求項１または２に記載のデジタル画像出力システム。
【請求項５】
前記１つの版を形成する複数の色成分とは、ＣＭＹであることを特徴とする請求項１または２に記載のデジタル画像出力システム。
【請求項６】
画像データを入力し、その入力した画像データの各版に対し階調変換テーブルを設定し、その設定した階調テーブルに従い前記画像データを階調変換し、その階調変換した画像データを用いて１つの版を複数の色成分の組み合わせとして画像形成するため画像形成装置に出力するように構成された制御装置が備えるコンピュータのためのプログラムであって、
前記入力画像データの色版の少なくとも１つの版に対し画像形成する色成分に応じた複数の階調変換テーブルを設定するステップと、
前記設定された複数の階調変換テーブルを用いて階調変換を行うことで複数の変換画像データを得るステップと、
前記複数の変換画像データの各色成分に応じた変換画像データを用いて画像を形成するように前記画像形成装置に出力するステップと、を前記コンピュータに実行させることを特徴とするプログラム。
【請求項７】
前記各色版に対し網点データを設定するステップと、
前記入力した画像データの各版に対し、前記設定した網点データに基づいて濃度階調データを面積階調データに変換することで画像を形成する全ての色版に対して網点化するステップと、
網点化する１つの版が前記複数の階調変換テーブルを用いて変換した複数の変換画像データを有する場合には、前記複数の変換画像データに対して同一の網点データを用いて網点化するステップと、を前記コンピュータに実行させることを特徴とする請求項１に記載のプログラム。
【請求項８】
前記少なくとも１つの版にＫ版を含むことを特徴とする請求項６または７に記載のプログラム。
【請求項９】
前記１つの版を形成する複数の色成分とは、ＲＧＢであることを特徴とする請求項６または７に記載のプログラム。
【請求項１０】
前記１つの版を形成する複数の色成分とは、ＣＭＹであることを特徴とする請求項６または７に記載のプログラム。
【発明の詳細な説明】
【技術分野】
【０００１】
本発明は、１つの版を複数の色成分の組み合わせとして画像形成するデジタル画像出力システム及びプログラムに関する。
【背景技術】
【０００２】
近年、印刷産業では、ＤＴＰといったデジタル編集装置から、下記特許文献１に示されるようなコンピュータツウプレート（ＣＴＰ）と呼ばれるデジタルで直接印刷用の原版を作成する装置に出力する工程が増えてきた。しかしながら、直接印刷用の原版を作成した場合、ＤＴＰのデータ作成ミスにより間違った印刷物を大量に作成してしまうといった印刷事故が発生する可能性があり、この対策としてカラーの網点デジタルプルーフシステムといったものが重要視されるようになってきた。このような網点デジタルプルーフシステムとして、下記特許文献２に示すようなインクシートを用いて印刷本紙に転写する方法や、下記特許文献３に示すような銀塩カラー感光材料にＲＧＢの光を照射して画像を形成する手法などがある。
【０００３】
これらのデジタルプルーフシステムでは、インクシートの顔料の選定、ＲＧＢの光照射量の調整、ルックアップテーブル（ＬＵＴ）の調整などによって、実際の印刷に近づけるような処理を行っているが、方式の違い、用紙の違いなどで、ドットゲインが実際の印刷物と違ってしまっている。このため、ベタ濃度を合わせても、全ての色において色調を合わせることは困難であった。また、これの解決方法として下記特許文献４等で提案されるカラーマネージメントシステムを用いる場合もあるが、一つの色を別の色を混ぜ合わせることによって表現するため、モアレやムラが実際の印刷物とは違ってしまい、網点プルーフであるメリットが半減してしまっていた。
【特許文献１】特開平１１−１２５８９７号公報
【特許文献２】特開平０６−２２２５７１号公報
【特許文献３】特開平１１−２０５６２２号公報
【特許文献４】特開平１０−３４１３４９号公報
【発明の開示】
【発明が解決しようとする課題】
【０００４】
本発明は、上述のような従来技術の問題に鑑み、印刷・製版業の色校正工程で用いられるデジタル網点プルーフにおいて実際の印刷物により近い再現性を得ることのできるデジタル画像出力システム及びプログラムを提供することを目的とする。
【課題を解決するための手段】
【０００５】
上記目的を達成するために、本発明によるデジタル画像出力システムは、画像データを入力し、その入力した画像データの各版に対し階調変換テーブルを設定し、その設定した階調テーブルに従い前記画像データを階調変換し、その階調変換した画像データを用いて１つの版を複数の色成分の組み合わせとして画像形成するデジタル画像出力システムであって、前記入力画像データの色版の少なくとも１つの版に対し画像形成する色成分に応じた複数の階調変換テーブルを設定する設定手段と、前記階調変換テーブルが複数設定されていた場合に、前記複数の階調変換テーブルを用いて階調変換を行うことで複数の変換画像データを得る階調変換手段と、を備え、１つの色版に対し前記複数の階調変換テーブルを用いて変換した複数の変換画像データがある場合には、その色版の画像を形成する際に、各色成分に応じた変換画像テータを用いて画像を形成することを特徴とする。
【０００６】
このデジタル画像出力システムによれば、１つの版を構成する複数の色成分に対して個別に階調変換テーブルの設定が可能になるので、ベタ部と中間調の色調を個別に調整することが可能となる。そして、階調変換テーブルを用いて変換した色成分ごとの画像データを用いてその版の画像を形成するため、デジタルカラープルーフにおいて実際の印刷物に近づけることが可能となる。また、版を構成する色成分の濃度は、版のベタを測定した値をそのまま用いることができ、更に、各色成分の階調変換テーブルには、各色成分の階調測定値をそのまま用いることができるので、設定を非常に簡単に行うことができる。また、各色成分毎に階調変換テーブルをもつので、中間調の全階調にわたって個別に調整が可能となる。
【０００７】
上記デジタル画像出力システムにおいて前記各色版に対し網点データを設定する網点設定手段と、前記入力画像データの各版に対し、前記設定した網点データに基づいて濃度階調データを面積階調データに変換する網点化手段と、を備え、画像を形成する全ての色版に対して網点化処理を行うとともに、網点化する１つの版が前記複数の階調変換テーブルを用いて変換した複数の画像変換データを有する場合には、前記複数の画像変換データに対して同一の網点データを用いて網点化するように構成できる。
【０００８】
また、前記少なくとも１つの版にＫ版を含むように構成できる。
【０００９】
また、前記１つの版を形成する複数の色成分とは、ＲＧＢであるか、または、ＣＭＹであるように構成できる。
【００１０】
本発明によるデジタル画像出力システムは、画像データを入力し、その入力した画像データの各版に対し階調変換テーブルを設定し、その設定した階調テーブルに従い前記画像データを階調変換し、その階調変換した画像データを用いて１つの版を複数の色成分の組み合わせとして画像形成するため画像形成装置に出力するように構成された制御装置が備えるコンピュータのためのプログラムであって、前記入力画像データの色版の少なくとも１つの版に対し画像形成する色成分に応じた複数の階調変換テーブルを設定するステップと、前記設定された複数の階調変換テーブルを用いて階調変換を行うことで複数の変換画像データを得るステップと、前記複数の変換画像データの各色成分に応じた変換画像データを用いて画像を形成するように前記画像形成装置に出力するステップと、を前記コンピュータに実行させることを特徴とする。
【００１１】
このプログラムによれば、１つの版を構成する複数の色成分に対して個別に階調変換テーブルの設定が可能になるので、ベタ部と中間調の色調を個別に調整することが可能となる。そして、階調変換テーブルを用いて変換した色成分ごとの画像データを用いてその版の画像を画像形成装置で形成するため、デジタルカラープルーフにおいて実際の印刷物に近づけることが可能となる。また、版を構成する色成分の濃度は、版のベタを測定した値をそのまま用いることができ、更に、各色成分の階調変換テーブルには、各色成分の階調測定値をそのまま用いることができるので、設定を非常に簡単に行うことができる。また、各色成分毎に階調変換テーブルをもつので、中間調の全階調にわたって個別に調整が可能となる。
【００１２】
上記プログラムにおいて前記各色版に対し網点データを設定するステップと、前記入力した画像データの各版に対し、前記設定した網点データに基づいて濃度階調データを面積階調データに変換することで画像を形成する全ての色版に対して網点化するステップと、網点化する１つの版が前記複数の階調変換テーブルを用いて変換した複数の変換画像データを有する場合には、前記複数の変換画像データに対して同一の網点データを用いて網点化するステップと、を前記コンピュータに実行させるようにできる。
【００１３】
また、前記少なくとも１つの版にＫ版を含むようにできる。
【００１４】
また、前記１つの版を形成する複数の色成分とは、ＲＧＢであるか、または、ＣＭＹであるようにできる。
【発明の効果】
【００１５】
本発明のデジタル画像出力システムによれば、印刷・製版業の色校正工程で用いられるデジタル網点プルーフにおいて実際の印刷物により近い再現性を得ることができる。
【発明を実施するための最良の形態】
【００１６】
以下、本発明を実施するための最良の形態について図面を用いて説明する。図１は本実施の形態によるデジタル画像出力システムを含む印刷システムの構成例を概略的に示す図である。
【００１７】
図１に示すように、印刷システムは、印刷工場のクライアント端末１からＰＳ(PostScript)データ等の画像データが画像処理装置であるＲＩＰ(Raster Image Processor)２に入力し、ＲＩＰ２はＰＳデータをラスター・イメージに変換処理し、ＲＩＰ２でラスター・イメージ変換処理されたデータがデジタルで直接印刷用の原版を作成するための装置であるＣＴＰ（コンピュータツウプレート）３に送られる一方、カラープルーフ作成のための制御装置１０に送られ、２値の網点画像データを生成し、この網点画像データに基づいて画像形成装置１１でカラープループを作成するように構成されている。
【００１８】
図１の制御装置１０及び画像形成装置１１によりデジタル画像出力システムが構成され、このデジタル画像出力システムにより印刷工場における印刷の際に印刷出力対象の絵柄、色調、文章、文字等の確認を行うためのカラープルーフ（校正用サンプル）を作成し出力する。このカラープルーフで色調やモアレ・ムラ等を確認し、図１のＣＴＰ３で原版を作成してから印刷機で印刷工程を実行する。
【００１９】
図２はデジタル画像出力システムを構成する図１の制御装置及び画像形成装置の要部を示すブロック図である。
【００２０】
図２に示すように、図１の制御装置１０は、図１のＲＩＰ２から画像データが入力する画像データＩ／Ｆである画像データ入力部２１と、入力した画像データの各版に対し階調画像変換を行う階調変換テーブル（ＬＵＴ）を設定するＬＵＴ設定部２３と、ＬＵＴ設定部２３で設定した階調変換テーブル（ＬＵＴ）により入力した画像データを階調変換するＬＵＴ変換部２２と、階調変換された画像データに対し網点データを設定する網点設定部２５と、設定された網点画像データに基づいて階調変換された画像データの網点化処理を行う網点化処理部２４と、を備える。
【００２１】
また、図１の画像形成装置１１は、網点化処理部２４からの２値の網点画像データに基づいて記録媒体に描画を行いカラープルーフを作成し出力する描画部３１と、描画部３１に対し画像の濃度設定を行う露光量設定部３２と、を備える。
【００２２】
記録媒体が銀塩カラー感光材料である場合、描画部３１は、波長の異なる複数の光源によってＲＧＢの各光ビームで銀塩カラー感光材料を露光し感光させる露光部から構成でき、露光量設定部３２で各光源に露光量を設定する。
【００２３】
上述のような露光部及び露光量設定部を有する画像形成装置１１は、例えば、上記特許文献３（特開平１１−２０５６２２号公報）で本出願人が先に提案したカラープルーフ作成装置から構成できる。
【００２４】
図２の制御装置１０において、ＬＵＴ設定部２３では、入力画像データの各色版に対し画像形成する色成分に応じた複数の階調変換テーブルを設定し、ＬＵＴ変換部２２では、ＬＵＴ設定部２３で設定された複数の階調変換テーブルを用いてＬＵＴ変換部２２で階調変換を行う。
【００２５】
また、入力画像データの各版に対し、網点設定部２５で設定した網点データに基づいて網点化処理部２４で濃度階調データを面積階調データに変換するようにして画像を形成する全ての色版に対して網点化処理を行うとともに、網点化する１つの版が複数の階調変換テーブルを用いて変換した複数の画像変換データを有する場合には、それらの複数の画像変換データに対して同一の網点データを用いて網点化する。
【００２６】
上述のように、１つの色版に対し複数の階調変換テーブルを用いて変換した複数の変換画像データがある場合には、画像形成装置１１でその色版の画像を形成する際に、各色成分に応じた変換画像データを用いて画像を形成する。
【００２７】
次に、図１，図２のデジタル画像出力システムの動作を図３，図４を参照して説明する
【００２８】
図３は、図２において１つの版を構成する複数の色成分に対し個別に階調変換テーブルを設定し変換した色成分ごとの画像データを用いてその版の画像を形成する構成を具体的に説明するための図である。図４は図１、図２のデジタル画像出力システムの動作を説明するためのフローチャートである。
【００２９】
図４を参照して、図２のように図１のＲＩＰ２から画像データが入力する一方（Ｓ０１）、図２のＬＵＴ設定部２３で各色版毎に図３のように複数のＬＵＴ２２ａ、２２ｂ、２２ｃを設定し（Ｓ０２）、設定された各ＬＵＴ２２ａ〜２２ｃにより、例えば５０％の面積階調の画像データを４５％、５５％、５０％の画像データにそれぞれ階調変換し、各色版に対し複数の変換画像データを得る（Ｓ０３）。
【００３０】
次に、各色版に対し例えば図３のような網点データＤを設定し（Ｓ０４）、設定した網点データに基づいて濃度階調データを面積階調データに変換することで画像を形成する全ての色版に対して網点化処理を行う（Ｓ０５）。この場合、  網点化する１つの版が複数のＬＵＴ２２ａ〜２２ｃを用いて変換した複数の変換画像データを有する場合には、それらの複数の変換画像データに対して同一の網点データを用いて網点化処理をする。
【００３１】
上述の網点化処理で１つの版に対し、ＬＵＴ２２ａ〜２２ｃの違いにより図３のような各色成分にそれぞれ対応した複数の網点画像データＤ１、Ｄ２、Ｄ３を得る。
【００３２】
図３のように、網点画像データＤ１では太線で包囲して示した０〜４５％の各画素が例えば、Ｒの色つきの網点ｄ１となり、それ以外は色なしである。網点画像データＤ２では、太線で包囲して示した０〜５５％の画素が例えば、Ｇの色つきの網点ｄ２となり、それ以外は色なしである。網点画像データＤ３では、太線で包囲して示した０〜５５％の画素が例えば、Ｂの色つきの網点ｄ３となり、それ以外は色なしである。
【００３３】
次に、網点画像データＤ１，Ｄ２，Ｄ３を図２の画像形成装置１１に出力する（Ｓ０６）。画像形成装置１１は、各色成分にそれぞれ対応した網点画像データＤ１，Ｄ２，Ｄ３を用いて描画部３１で記録媒体に画像を形成する（Ｓ０７）。この画像形成により形成される例えば図３の画像Ｄ４において、網点ｄ４が網点画像データＤ１，Ｄ２，Ｄ３によりＫのベタ画像に形成され、画素ｇ１が網点ｄ２とｄ３の混色で中間調に形成され、画素ｇ２が網点ｄ１とｄ２の混色で中間調に形成される。
【００３４】
例えば、図２の描画部３１でＲＧＢの各光ビームにより銀塩カラー感光材料を露光することで画像形成を行う際に、図８のルックアップテーブルによる露光量設定部３２において、例えば、基準色Ｃに関し、図８のようなＲＧＢの対応各光ビーム単色で露光部から銀塩カラー感光材料を露光する。同様のルックアップテーブルにより他の基準色Ｙ、Ｍについても露光を行う。
【００３５】
以上のようにして、１つの版を構成する複数の色成分に対し、個別に階調変換テーブル（ＬＵＴ２２ａ〜２２ｃ）を設定し、各階調変換テーブルを用いて変換した色成分ごとの画像データを用いて各色版の画像を形成することで、１つの版を形成する複数の色成分に対してＬＵＴ２２ａ〜２２ｃの設定が可能になるため、ベタ部（ｄ４）と、周辺画素（ｇ１，ｇ２）における中間調の色調と、を個別に調整することが可能となり、より実際の印刷物に近づけることが可能となる。
【００３６】
また、当該版を構成する色成分の濃度は、当該版のベタを測定した値をそのまま用いることができ、さらに、各色成分の階調変換テーブル（ＬＵＴ２２ａ〜２２ｃ）には、各色成分の階調測定値をそのまま用いることができるので、設定が非常に簡単に行えるので、コスト高になることはない。
【００３７】
また、各色成分毎に階調変換テーブル（ＬＵＴ２２ａ〜２２ｃ）をもつので、中間調の全階調にわたって個別に調整が可能となる。また、ＬＵＴを変更するため、ＦＭスクリーニングなどにも対応できる。
【００３８】
図５は図３、図４のようにして生成した網点画像データにより形成した網データによる網５０％の画像を模式的に示す図である。図６は図５と同様にして形成した別の例の網データによる網３０％の画像（ａ）、５０％の画像（ｂ）及び１００％の画像（ｃ）である。図７は従来の網点データによる図５と同様の網５０％の画像を模式的に示す図である。
【００３９】
図５のように、図３、図４のようにして生成した網点画像データによる網の各画素は、ベタの中心部Ｇ１と、中心部Ｇ１を包囲する周辺部Ｇ２とが形成され、周辺部Ｇ２が濃度の低い中間調の色調に形成できる。
【００４０】
また、同様に、図６（ａ）、（ｂ）のような網３０％、網５０％の場合は、中心部Ｇ３０、Ｇ５０をべたに形成でき、中心部Ｇ３０，Ｇ５０を包囲する周辺部Ｇ３１，Ｇ５１の方を濃度の低い中間調の色調に形成でき、また、図６（ｃ）のように網１００％の場合は、べた画像にする。
【００４１】
図７のような従来の網点画像データの各画素Ｇ０では、例えば銀塩カラー感光材料の影響により色の回り込みが起きて色調が変化し、特に中間階調以下の色調が合わなくなることがあったのに対し、本実施の形態によれば、図５、図６（ａ）、（ｂ）のように周辺部Ｇ２，Ｇ３１，Ｇ５１の方を中心部（べた部）よりも濃度の低い中間調の色調に形成することで、または、周辺部Ｇ２，Ｇ３１，Ｇ５１の方を中心部よりも高い濃度に形成することで、べタ部と中間調の色調を個別に調整することが可能となり、より実際の印刷物に近づけることが可能となるのである。また、周辺部Ｇ２，Ｇ３１，Ｇ５１と中心部との色味を変えることも可能となり、より実際の印刷物に近づけることができる。
【００４２】
また、網点形状は変えずにそのまま維持することができるので、印刷物のモアレやムラの再現が可能となる。
【００４３】
以上のように本発明を実施するための最良の形態について説明したが、本発明はこれらに限定されるものではなく、本発明の技術的思想の範囲内で各種の変形が可能である。例えば、図１のようにクライアント端末１から直接にＰＳデータを制御装置１０に入力し、制御装置１０においてＰＳデータのラスター・イメージ変換処理を行うようにしてもよい。
【００４４】
また、図１，図２の制御装置１０に入力する画像データは、各種のフォーマットの画像データであってよく、例えば、ベクトル系としては、ＰＳ(PostScript)データ以外に、ＰＤＦ、ＥＰＳ等であってもよく、また、ラスター系としてはＴＩＦＦ，ＴＩＦＦ／ＩＴ、その他専用フォーマット等であってよく、更に、２値データとしては、ＴＩＦＦbitmap、その他専用フォーマット等であってよい。
【００４５】
また、図１の画像形成装置１１は、上述のような波長の異なる複数の光源によってＲＧＢの各光ビームで銀塩カラー感光材料を露光し感光させるようにした画像記録装置に限定されずに、例えば、順次、ドナーシートを受像シート上に重ね合わせ、重ね合わせた状態で、Ｃ、Ｍ、Ｙ、Ｋの各色版の画像データ毎に光ビームを照射することにより、ドナーシートからのインクを受像シートに転写し、光ビームを照射されたドナーシートを排出するようにして面順次露光を行い、受像シートに画像を形成するように構成してもよく、例えば、特開平１０−２６４４６３号公報で本出願人が提案した画像記録装置から構成できる。
【図面の簡単な説明】
【００４６】
【図１】本実施の形態によるデジタル画像出力システムを含む印刷システムの構成例を概略的に示す図である。
【図２】本実施の形態によるデジタル画像出力システムを構成する図１の制御装置及び画像形成装置の要部を示すブロック図である。
【図３】図２において１つの版を構成する複数の色成分に対し個別に階調変換テーブルを設定し変換した色成分ごとの画像データを用いてその版の画像を形成する構成を具体的に説明するための図である。
【図４】図４は図１、図２のデジタル画像出力システムの動作を説明するためのフローチャートである。
【図５】図３、図４のようにして生成した網点画像データにより形成した網データによる網５０％の画像を模式的に示す図である。
【図６】図５と同様にして形成した別の例の網データによる網３０％の画像（ａ）、５０％の画像（ｂ）及び１００％の画像（ｃ）である。
【図７】従来の網点データによる図５と同様の網５０％の画像を模式的に示す図である。
【図８】図２の露光量設定部を構成するルックアップテーブルの例を示す図である。
【符号の説明】
【００４７】
１ クライアント端末
２ ＲＩＰ
３ ＣＴＰ
１０ 制御装置
１１ 画像形成装置
２１ 画像データ入力部
２２ ＬＵＴ変換部
２２ａ，２２ｂ，２２ｃ 階調変換テーブル（ＬＵＴ）
２４ 網点化処理部
２５ 網点設定部
３１ 描画部
３２ 露光量設定部
【図１】
2005094456.tif 000003
【図２】
2005094456.tif 000004
【図３】
2005094456.tif 000005
【図４】
2005094456.tif 000006
【図５】
2005094456.tif 000007
【図６】
2005094456.tif 000008
【図７】
2005094456.tif 000009
【図８】
2005094456.tif 000010